(57)【要約】【課題】スタートボタンを有するＦＡＵユニットを備えるスキャナにて、フィルム読取時の操作性を向上させる。【解決手段】ＦＡＵ用のスタートボタンを、ネガフィルム読取用とポジフィルム読取用に別々に設ける。【選択図】        図１
2004172805.tif 000002
【特許請求の範囲】
【請求項１】
反射原稿を照射する光源と、透過原稿を照射するための光源を有する透過原稿読取ユニットと、原稿を副走査方向に走査して読み取る事が可能な光学系と、各ライン毎に主走査方向の読取を行うラインセンサと、前記ラインセンサにより出力される画像信号をデジタル変換するＡ／Ｄ変換器と、前記デジタル変換された信号を外部装置に転送する手段を有する画像読取装置に於いて、前記透過原稿読取ユニットには透過原稿読取用のアプリケーションを起動する或いは／かつ透過原稿のスキャンスタートを行うための透過原稿用のスタートボタンを有しており、前記画像読取装置には反射原稿読取用のアプリケーションを起動する或いは／かつ透過原稿のスキャンスタートを行うための反射原稿用スタートボタンを有していることを特徴とする、透過原稿読取ユニットを有する画像読取装置。
【請求項２】
請求項１に記載の透過原稿読取ユニットを有する画像読取装置であって、前記透過原稿読取ユニットには２つ以上の複数のスタートボタンを有することを特徴とする、透過原稿読取ユニットを有する画像読取装置。
【請求項３】
請求項１に記載の透過原稿読取ユニットを有する画像読取装置であって、前記複数のスタートボタンに於いて少なくとも１つはポジフィルム読取用で、それ以外の１つのスタートボタンはネガフィルム読み取り用であることを特徴とする、透過原稿読取ユニットを有する画像読取装置。
【発明の詳細な説明】
【０００１】
【発明の属する技術分野】
本発明は、反射原稿および透過原稿の読み取りが可能である画像読取装置（以下、スキャナ）に関する。
【０００２】
【従来の技術】
従来、スキャナには、フィルムなどの透過原稿と、写真・雑誌などの反射原稿の２種類を読み取ることが可能なスキャナがある。このタイプのスキャナは反射原稿読取用スキャナ本体上部にフィルム等の透過原稿読取用光源を有する透過原稿読取ユニット（以下、ＦＡＵ）を取り付けることで、反射原稿読み取りと透過原稿読み取りを可能にしている。このタイプの画像読取装置ではスキャンの種類に応じて光源の点灯を行う排他的な光源点灯制御が必要となるなど、反射原稿だけを読み取る画像読取装置では行われない特有の制御が必要である。
【０００３】
図４は従来の透過原稿と反射原稿の読み取りが可能なスキャナの断面図である。４１はスキャナ本体、４２はＦＡＵである。ＦＡＵ４２は、拡散板と拡散板の近傍に配置される蛍光灯などの光源（不図示）からなる面発光部４３と、光源駆動回路部４４、などから構成されヒンジ部４５でスキャナに回動自在に接続されている。
【０００４】
スキャナ本体４１は、ＡＤ変換器、画像処理用のＡＳＩＣやインターフェース回路等を有する電気回路部４６と、反射光源やミラー、レンズやＲＧＢの３ラインＣＣＤなどの撮像素子を有する画像読取ユニット４７、原稿台ガラス４８、スタートボタン４９などからなる。原稿台ガラス４８上の原稿画像を読み取る際には、画像読取ユニット４７を副走査方向（図中、矢印Ｘ方向）に移動しつつ、ＣＣＤによる主走査方向の読取を繰り返すことで２次元画像を読取ることができる。
【０００５】
画像読取ユニット４７のＣＣＤ出力は不図示のケーブルを介して電気回路部４６に送られ、ＡＤ変換、シェーディング補正、マスキング等の必要な処理を施され、デジタル画像データとして所定のインターフェースを介して不図示のパーソナルコンピュータ（以下、ＰＣ）等の外部機器へ送られる。
【０００６】
また、近年スキャナにおいては、上述のスキャナ本体４１にアプリケーションの起動やスキャンスタートを可能とするためのスタートボタン４９を設けておくタイプのスキャナがある。このタイプのスキャナは、ＰＣ上のスキャナドライバからの操作でのみアプリケーションの起動やスキャンスタートを可能にするタイプのスキャナに比べ、ＰＣ側での操作と共用できるので操作性が良くなっている。
【０００７】
更に、透過／反射原稿読取可能なスキャナにおいては、透過／反射原稿読取可能なスキャナにおいては、スタートボタン４９がスキャナ本体４１に設けられている唯一であったり、更にＦＡＵ側に透過原稿読み取り用のスタートボタンを有しているスキャナがあった。
【０００８】
【発明が解決しようとする課題】
しかしながら、従来の透過／反射原稿読取可能なスキャナにおいて、透過原稿読み取り用のスタートボタンが１つしかなかった為に、前記ボタンを使用して透過原稿の読み取りを行う際に、実際に読取を行うフィルムの種類（ポジフィルム／ネガフィルム）をＰＣ上のスキャナドライバ側にて設定する必要が有るという操作上の欠点があった。
【０００９】
よって本発明に係る発明の目的は、操作性の良い透過／反射原稿読取可能なスキャナ装置を提供することにある。
【００１０】
【課題を解決するための手段】
上記目的を達成するため、本出願に係る発明は、透過原稿読取ユニット上にポジフィルム読取用のスタートボタンと、ネガフィルム読取用のスタートボタンを別々に有することを特徴とする。これにより、透過原稿読取時に、スタートボタンをポジフィルム用とネガフィルム用にそれぞれ別に分けているので煩わしい操作なく、ポジフィルムとネガフィルム原稿に合わせたスキャンのスタートなどの動作が可能となる。
【００１１】
【発明の実施の形態】
（実施例）
図１に本発明に係る透過原稿と反射原稿の読み取り可能な画像読取装置の斜視図を示す。まず、１は画像読取装置であるところのスキャナ本体であり、２は透過原稿を照明するための光源などを有する透過原稿読取ユニット（ＦＡＵ）。また、３はスキャナ本体１に設けられた反射原稿用スタートボタンであり、４は透過原稿用スタートボタンである。これらの３つのスタートボタン３、４−ａ、４−ｂが押下されると、ボタン押下情報がスキャナ本体１から不図示の所定のインターフェースケーブル（例えば、ＵＳＢ、ＳＣＳＩやパラレル等）を介して、外部装置であるところの不図示のＰＣに転送される。
【００１２】
図２は上記の透過原稿／反射原稿読取可能な画像読取装置の断面図である。図１と同一の部材には同じ番号を付与しているのでここでの説明は省く。５−ａ及び５−ｂはタクトスイッチであり、透過原稿用スタートボタン４−ａもしくは４−ｂが押下されるとタクトスイッチ５−ａもしくは５−ｂが押される。タクトスイッチ５−ａ及び５−ｂは信号ケーブルで後述の電気回路部９に接続されている。６は透過原稿用光源駆動回路部であって、後述の透過原稿用光源を点灯するための回路である。７は蛍光灯などの不図示の透過原稿用光源と、前記透過原稿用光源からの入射光を拡散する部材などからなる面発光部である。８はＦＡＵ２をスキャナ本体１に回動自在に取り付けることを可能にするヒンジ部である。また、９はスキャナ本体１内部に設けられ、前記光源駆動回路部６とケーブルにて接続され、ＡＤ変換器、画像処理用のＡＳＩＣやインターフェース回路等を有する電気回路部である。１０は画像読取ユニットで、反射原稿用光源１１、ミラー、レンズ１２、ＣＣＤなどの撮像素子１３を有する。
【００１３】
電気回路部９や画像読取ユニット１０は従来例で説明した電気回路部４６、画像読取ユニット４７と基本的に同様の動作を行うものであり、撮像素子１３の出力が不図示のケーブルで電気回路部９に入力されて処理される。１４は５と同様にタクトスイッチであり、反射原稿用のスタートボタン３の押下を検出するためのものである。タクトスイッチ１４はタクトスイッチ５−ａ及び５−ｂと同様に信号ケーブルにて電気回路部９に接続されている。１５は透過原稿や反射原稿を載置する原稿台ガラスである。
【００１４】
図３は本発明の透過原稿／反射原稿読取可能な画像読取装置を含むシステムの機能ブロックである。図１、２で説明した部分についての機能ブロックには同一の番号を付けてある。画像読取ユニット１０において、２０は光源１１を点灯するための光源点灯回路である。電気基板９において、２１はパルスモータ１６用のモータ駆動回路であり、スキャナ１のシステム制御手段であるシステムコントローラ２２からの信号によりパルスモータ１６の励磁切替え信号を出力する。２３Ｒ、２３Ｇ、２３Ｂはアナログゲイン調整器であり、ラインセンサ１３から出力されたアナログ画像信号を可変増幅することが可能な構成である。
【００１５】
２４はＡ／Ｄ変換器であり、可変アナログゲイン調整器２３から出力されたアナログ画像信号をディジタル画像信号に変換する。２５はＡＳＩＣであり、ディジタル信号化された画像信号に対してオフセット補正、シェーディング補正、デジタルゲイン調整、カラーバランス調整、マスキング、主・副走査方向の解像度変換を画像圧縮等の画像処理を行う。２６はラインバッファであり、画像データを一時的に記憶する部分であり、汎用のランダムアクセスメモリで実現している。２７はインターフェース部であり、ＰＣ１７と通信するためのものである。ここではＳＣＳＩコントローラで実現しているが、セントロニクスやＵＳＢ等別のインターフェースも採用することも可能である。
【００１６】
２８は画像処理を行う際のワーキングエリアとして用いられるオフセットＲＡＭである。このオフセットＲＡＭ２８は、ラインセンサ１３がＲＧＢ用ラインセンサを各々所定のオフセットを持って平行に配置されているので、そのＲＧＢライン間オフセットの補正用として用いられる。また、オフセットＲＡＭ２８は、シェーディング補正等の各種データの一時記憶も行う。ここでは汎用のランダムアクセスメモリで実現している。２９はガンマカーブを記憶し、ガンマ補正を行うためのガンマＲＡＭである。２２はスキャナ全体のシーケンスを記憶したシステムコントローラであり、ＰＣ１７からの命令にしたがって各種制御を行う。
【００１７】
３０はシステムコントローラ２２とＡＳＩＣ２５とラインバッファ２６とインターフェース部２７とオフセットＲＡＭ２８とガンマＲＡＭ２９をつなぐシステムバスであり、アドレスバスとデータバスによって構成されている。１８はＰＣ１７用の表示モニタで、１９はここでは一例としてＳＣＳＩバスで構成されているインターフェースバスである。
【００１８】
また、ＰＣ１７の不図示ハードディスクには、スキャナドライバなどのアプリケーションがインストールされている。これらのアプリケーションソフトは透過原稿用、反射原稿用に別々に若しくは同一のアプリケーションで２つのモードを有するものを用意することが可能である。
【００１９】
操作者は、ＰＣ１７でのマウスやキーボード（不図示）からの操作若しくはスタートボタン３，４−ａ，４−ｂの押下によりスキャナドライバを起動することができる。
【００２０】
スタートボタン３或いは４−ａもしくは４−ｂの押下によるドライバの起動は、スキャナドライバ起動用のボタン監視アプリケーションをＰＣ上で常に起動しておくことでスタートボタン３、４−ａ，４−ｂの押下情報を監視することなどにより実現できる。前記監視するためのアプリケーションは、スタートボタン３或いは４−ａもしくは４−ｂの押下を検出したシステムコントローラ２２からの情報をインターフェース経由で受信し、透過原稿用と反射原稿用のうちいずれかのスキャナドライバなどのアプリケーションを起動する。
【００２１】
以下、本画像読取システムの動作の一例として、透過原稿用スタートボタン４−ａ（ポジフィルム読取用）もしくは４−ｂ（ネガフィルム読取用）が、押下された場合について動作概要を説明する。
【００２２】
まず、スタートボタン４−ａもしくは４−ｂが押下されて、タクトスイッチ５−ａもしくは５−ｂによりそれが検出され、信号線を通してシステムコントローラ２２に信号が送られる。システムコントローラ２２はそれを検出して、透過原稿用ボタンが押下されたことを検出し、その旨をインターフェース回路２７やインターフェースバス１９を介してＰＣ１７に送信する。次に、ＰＣ１７では監視アプリケーションがボタン押下検出情報から、スタートボタン３と４−ａもしくは４−ｂのどちらが押下されたのかを判定する。ここで、監視アプリケーションは、ボタン押下検出情報にあるボタンの識別情報から、ポジフィルム読取のスタートボタン４−ａもしくはネガフィルム読取のスタートボタン４−ｂが押下されたことを知る。
【００２３】
その後、ＰＣ１７のオペレーションシステムを介して透過原稿用スキャナドライバが起動される。この起動の動作自体については、従来の単一ボタンの起動動作と変わらない。各ボタンに別のドライバアプリケーションを対応つけておく、若しくはドライバが別のモードで起動されるように予め設定しておくことで本実施例の動作が可能となる。この時、前記ドライバは予め設定されている解像度・カラー／２値などのモードでポジフィルムもしくはネガフィルムを読むためのスキャンコマンドをスキャナ１へ送信する。
【００２４】
次にシステムコントローラ２２が、スキャンコマンドに基づいて各部を制御し、画像読取ユニット１０をモータ７と不図示のベルトやギア列などの駆動系を利用して副走査方向に移動することで原稿台１５上の原稿画像を読み取る。読み取った画像は、デジタル化され必要な画像処理を施された後でＰＣ１７に送られ、モニタ１８に表示される。システムコントローラ２２は、この場合においてはスタートボタン４−ａもしくはスタートボタン４−ｂが押下されたことで、透過原稿用のスキャンコマンドが発行されているので、ＦＡＵ２の面発光部７を光らせるように制御する。
【００２５】
つまり、スタートボタン押下時に押下情報をＰＣ１７に送る際には、システムコントローラ２２は、スタートボタン３と４−ａもしくは４−ｂとは識別しているので、ボタン押下検出時に、それに合わせて面発光部７若しくは光源１１を点灯させておき、光源の光量安定化を図ることも可能である。蛍光灯などの立ち上がりの温度特性が良くない場合などは効果的である。
【００２６】
【発明の効果】
以上、説明したように本発明によれば、ＰＣ上のアプリケーションを起動する或いはスキャンスタートを行うことが可能なスタートボタンを透過原稿読取ユニットとスキャナ本体にそれぞれ別に配置し、更に透過原稿読取ユニット上には、ポジフィルム読取用のスタートボタンと、ネガフィルム読取用のスタートボタンを別々に有しているため、操作者が希望の読取モードでの動作を確実にそして容易に行うことが可能となる。
【図面の簡単な説明】
【図１】本発明の透過原稿読取ユニット付き画像読取装置の斜視図である
【図２】本発明の透過原稿読取ユニット付き画像読取装置の断面図である
【図３】本発明の透過原稿読取ユニット付き画像読取装置の機能ブロック図である
【図４】従来の画像読取装置を表す断面図である。
【符号の説明】
１・・・スキャナ本体
２・・・透過原稿読取ユニット
３・・・反射原稿用スタートボタン
４・・・透過原稿用スタートボタン
４１４・・・タクトスイッチ
６・・・光源駆動回路
７・・・面発光部
８・・・ヒンジ部
９・・・スキャナ本体１の電気回路部
１０・・・画像読取ユニット
１５・・・原稿台ガラス
【図１】
2004172805.tif 000003
【図２】
2004172805.tif 000004
【図３】
2004172805.tif 000005
【図４】
2004172805.tif 000006